(57)【要約】  構造物のための建築構成材であって、前記建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、前記建築構成材は、第２の建築構成材、又は前記建築構成材を前記第２の建築構成材に結合するための結合部材に結合されるように構成され、前記建築構成材は、更に複数の連結部材を含み、これらの連結部材は、前記長手方向の側部の一方から他方まで前記側壁の所定の長さに従う間隔を隔てて、且つ前記側壁が使用時に前記長さに従って切断され、又は別の方法で分割されることが可能になるように配置されることにより、前記切断又は分割の端部において、前記構成材を前記第２の建築構成材又は前記結合部材に固定するための、前記結合部材における連結部材と協調することに適した連結部材を提供する建築構成材。構造物のための建築構成材であって、前記建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、前記建築構成材は、別の建築構成材、又は前記建築構成材を別の建築構成材に結合するための結合部材に結合されるように構成され、前記建築構成材は、前記側壁の、対向して長手方向に延びる前記側部に配置された連結部材を更に含み、前記連結部材は、前記構成材を前記別の建築構成材又は結合部材に固定することに協調し、各前記側壁は、内層部材及び外層部材を含み、前記内層部材と前記外層部材とは、間隔を隔てて配置され、これら部材の間に延びる複数の網状材によって互いに連結されている建築構成材。
2010539351.tif 000002
【特許請求の範囲】
【請求項１】
構造物のための建築構成材であって、
前記建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、
前記建築構成材は、第２の建築構成材、又は前記建築構成材を前記第２の建築構成材に結合するための結合部材に結合されるように構成され、
前記建築構成材は、更に複数の連結部材を含み、これらの連結部材は、前記長手方向の側部の一方から他方まで前記側壁の所定の長さに従う間隔を隔てて、且つ前記側壁が使用時に前記長さに従って切断され、又は別の方法で分割されることが可能になるように配置されることにより、前記切断又は分割の端部において、前記構成材を前記第２の建築構成材又は前記結合部材に固定するための、前記結合部材における連結部材と協調することに適した連結部材を提供する
建築構成材。
【請求項２】
前記協調連結部材は、前記建築構成材と前記結合部材との間のスナップ式の係合を提供することを特徴とする、請求項１に記載の建築構成材及び結合部材。
【請求項３】
連結本体に連結された前記連結部材は、前記長手方向の側部に沿って前記端部の一方から他方へ長手方向に延びていることを特徴とする、請求項１又は２に記載の建築構成材。
【請求項４】
前記協調連結部材は、その一方の部品において空洞を、他方の部品において舌部を含み、前記舌部は、スナップ式の係合で前記空洞の内に収容可能であることを特徴とする、請求項１〜３の何れか一項に記載の建築構成材。
【請求項５】
前記空洞は、前記構成材の長手方向の側縁部に沿って延び、前記対向する端部の間において通路を形成していることを特徴とする、請求項４に記載の建築構成材。
【請求項６】
前記空洞は、同空洞の内部に開口する口部と、喉部とを含み、前記舌部は、スナップ式に前記喉部を通過することを特徴とする、請求項４又は５に記載の建築構成材。
【請求項７】
前記建築構成材は、前記側壁の間に延びる少なくとも１つの横断部材を含むことを特徴とする、請求項１〜６の何れか一項に記載の建築構成材。
【請求項８】
前記横断部材は、各側壁の内表面に固定され、又は同側壁の内表面と一体になった横断壁であることを特徴とする、請求項７に記載の建築構成材。
【請求項９】
前記横断部材は、各側壁の内表面に取外し可能に固定されることが可能であることを特徴とする、請求項８に記載の建築構成材。
【請求項１０】
各前記横断部材と各前記長手方向の側壁とは、これらをスナップ式に連結する協調連結部材を含むことを特徴とする、請求項９に記載の建築構成材。
【請求項１１】
各前記横断壁には、前記長手方向において間隔を隔てた複数の開口部が形成されていることを特徴とする、請求項８，９又は１０の何れか一項に記載の建築構成材。
【請求項１２】
前記側壁の各々は、間隔を隔てた内層部材及び外層部材を含み、前記内層部材と前記外層部材とは、これらの間に延びる複数の網状材によって互いに連結されていることを特徴とする、請求項１〜１１の何れか一項に記載の建築構成材。
【請求項１３】
前記内層部材及び前記外層部材の内表面において所定の構造が形成可能であり、該構造は、連結部材の喉部を形成できるように前記内層部材及び前記外層部材に沿って間隔を隔てた形で配置されことにより、前記側壁が使用時に該側壁の前記長さに従って切断され、又は別の方法で分割されることが可能となり、前記切断又は分割の端部において連結部材が提供されることを特徴とする、請求項１〜１２の何れか一項に記載の建築構成材。
【請求項１４】
前記構造は、前記外層部材及び前記内層部材の長さに従って反対の方向に向かう群で配置可能である、請求項１３に記載の建築構成材。
【請求項１５】
前記結合部材は、対向する端部の間において長手方向に延びる側縁を有するパネルである請求項１〜１４の何れか一項に記載の建築構成材。
【請求項１６】
前記連結部材は、前記側縁の領域において横に延びる複数のフランジであり、各前記フランジは、前記構成材における通路内にスナップ式に収容される頭部を有する請求項１〜１５の何れか一項に記載の建築構成材。
【請求項１７】
前記フランジは２つ設けられ、前記パネルの両側端領域に前記フランジが１つずつ設けられている請求項１６に記載の建築構成材。
【請求項１８】
前記フランジが４つ設けられ、前記両側端領域に前記フランジが２つずつ設けられ、各側端領域における前記２つのフランジは、互いに逆の方向に沿って横に延びている請求項１６又は１７に記載の建築構成材。
【請求項１９】
構造物のための建築構成材であって、
前記建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、
前記建築構成材は、別の建築構成材、又は前記建築構成材を別の建築構成材に結合するための結合部材に結合されるように構成され、
前記建築構成材は、前記側壁の、対向して長手方向に延びる前記側部に配置された連結部材を更に含み、前記連結部材は、前記構成材を前記別の建築構成材又は結合部材に固定することに協調し、各前記側壁は、内層部材及び外層部材を含み、前記内層部材と前記外層部材とは、間隔を隔てて配置され、これら部材の間に延びる複数の網状材によって互いに連結されている
建築構成材。
【請求項２０】
以上に添付の図面を参照しながらほぼ説明された建築構成材。
【発明の詳細な説明】
【技術分野】
【０００１】
本発明は、建築構造に関し、より詳細には、このような構造に使用される構成材及びアセンブリに関する。
１つの特定の出願は、建築物の壁の構成に使用されることに適する構成材及びアセンブリに関連している。便宜上、下文においてこの出願を参照して本発明を説明するが、本発明の範囲はその特定の出願に限定されないと解釈されるべきである。本発明を他の出願に適用できることは、当業者に対して明らかである。
【背景技術】
【０００２】
一緒に固定されることが可能であり、堅固な構造を構成するために空洞にコンクリートが充満した中空部材を使用して建築の壁を構成する技術が知られている。このような構造に関する問題点としては、該構造の汎用性の低下が挙げられる。
【発明の概要】
【発明が解決しようとする課題】
【０００３】
本発明の目的は、上記不都合のうちの１つ又は２つ以上を抑制することのできる建築構成材及びアセンブリを提供することにある。
【課題を解決するための手段】
【０００４】
本発明の１つの態様によれば、構造物のための建築構成材が提供され、この建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、前記建築構成材は、第２の建築構成材、又は前記建築構成材を前記第２の建築構成材に結合するための結合部材に結合されるように構成され、前記建築構成材は、更に複数の連結部材を含み、これらの連結部材は、前記長手方向の側部の一方から他方まで前記側壁の所定の長さに従う間隔を隔てて、且つ前記側壁が使用時に前記長さに従って切断され、又は別の方法で分割されることが可能になるように配置されることにより、前記切断又は分割の端部において、前記構成材を前記第２の建築構成材又は前記結合部材に固定するための、前記結合部材における連結部材と協調することに適した連結部材を提供する。
【０００５】
望ましくは、建築構成材及び結合部材は、これらに取り付けられた協調連結部材を備え、この協調連結部材は、前記建築構成材と前記結合部材との間のスナップ式の係合を提供する。
【０００６】
連結本体に連結された前記連結部材は、前記長手方向の側部に沿って前記端部の一方から他方へ長手方向に延びてもよい。
前記協調連結部材は、その一方の部品において空洞を、他方の部品において舌部を含み、前記舌部は、スナップ式の係合で前記空洞の内に収容可能であってもよい。１つの形態では、前記空洞は、前記対向する端部の間において前記構成材の長手方向の側縁部に沿って延びる通路である。前記空洞は、同空洞の内部に開口する口部と、喉部とを含み、前記舌部は、スナップ式に前記喉部を通過してもよい。
【０００７】
前記建築構成材は、前記側壁の間に延びる少なくとも１つの横断部材を更に含んでもよい。１つの形態では、前記横断部材は、各側壁の内表面に固定され、又は同側壁の内表面と一体になった横断壁である。１つの形態では、前記横断部材は、各側壁の内表面に取外し可能に固定されることが可能である。この目的を達成するために、各前記横断部材と各前記長手方向の側壁とは、これらをスナップ式に連結する協調連結部材を含んでもよい。各前記横断壁には、前記長手方向において間隔を隔てた複数の開口部が形成されてもよい。
【０００８】
１つの実施形態では、前記側壁の各々は、間隔を隔てた内層部材及び外層部材を含み、前記内層部材と前記外層部材とは、これらの間に延びる複数の網状材によって互いに連結されてもよい。この実施形態において、前記内層部材及び前記外層部材の内表面において所定の構造が形成可能であり、該構造は、連結部材の喉部を形成できるように前記内層部材及び前記外層部材に沿って間隔を隔てた形で配置される。こうした構成により、前記側壁が使用時に該側壁の前記長さに従って切断され、又は別の方法で分割されることが可能となり、前記切断又は分割の端部において連結部材が提供される。前記構造は、前記外層部材及び前記内層部材の長さに従って反対の方向に向かう群で配置されてもよい。
【０００９】
前記結合部材は、対向する端部の間において長手方向に延びる側縁を有するパネルであってもよい。前記連結部材は、前記側縁の領域において横に延びる複数のフランジであり、各前記フランジは、前記構成材における通路内にスナップ式に収容される頭部を有してもよい。１つの形態では、前記フランジは２つ設けられ、前記パネルの両側端領域に前記フランジが１つずつ設けられる。別の形態では、前記フランジは４つ設けられ、前記両側端領域に前記フランジが２つずつ設けられ、各側端領域における前記２つのフランジは、互いに逆の方向に沿って横に延びている。
【００１０】
本発明の別の態様によれば、構造物のための建築構成材が提供され、この建築構成材は、間隔を隔てて略平行に配置されるとともに互いに連結された２つの側壁を含む構成材本体を備え、前記側壁は、互いに対向する端部と、長手方向に沿って延び、且つ互いに対向する側部とを有し、前記建築構成材は、別の建築構成材、又は前記建築構成材を別の建築構成材に結合するための結合部材に結合されるように構成され、前記建築構成材は、前記側壁の、対向して長手方向に延びる前記側部に配置された連結部材を更に含み、前記連結部材は、前記構成材を前記別の建築構成材又は結合部材に固定することに協調し、各前記側壁は、内層部材及び外層部材を含み、前記内層部材と前記外層部材とは、間隔を隔てて配置され、これら部材の間に延びる複数の網状材によって互いに連結されている。
【００１１】
この建築構成材は、前記側壁の両側部の一方において雄連結部材を、他方において雌連結部材を含んでもよい。
【図面の簡単な説明】
【００１２】
【図１】本発明の一実施形態に係る建築構成材を示す等角図。
【図２】図１に示される構成材の詳細を示す図。
【図３】図１及び図２に示される建築構成材の平面図。
【図４】図１〜図３に示される種の構成材を示す別の等角図。
【図５】図４に示される構成材の一部の詳細を示す図。
【図６】本発明の別の実施形態に係る建築構成材を示す平面図。
【図７】本発明の好ましい実施形態に係る別の建築構成材を示す平面図。
【図８】本発明の好ましい実施形態に係る建築構成材の断面図であり、この建築構成材は、充填材が同建築構成材の上端から該建築構成材の表面に漏れ、又は溢れることを抑制するための蓋とともに示される。
【図９】図８に示される蓋の等角図。
【図１０】本発明の別の実施形態に係る建築構成材を、その建築構成材を別の建築構成材に結合するための結合部材とともに示す等角図。
【図１１】図１０に示される建築構成材及び結合部材の平面図。
【図１２】本発明の更に別の例示的な実施形態に係る建築構成材を示す等角図。
【発明を実施するための形態】
【００１３】
図１には、本発明の一実施形態に係る建築構成材のアセンブリが示されている。このアセンブリ１０は、建築構成材２０及び端部構成材４０を含み、これら構成材２０と端部材４０とは、結合部材６０により協調して取り付けられている。各構成材は、例えば熱可塑性プラスチック（例えばポリ塩化ビニル）等のプラスチック材料によって形成されることが可能であり、押出成形又は他の適切な加工プロセスにより製造されることが可能である。
【００１４】
建築構成材２０は、構成材本体２１を含み、この構成材本体２１は、略平行な、間隔を隔てた２つの側壁２２及び２３、並びにこれらの間に延びている複数の横断壁２４を有している。各側壁２２，２３は、内層２６及び外層２７、並びにこれらの間に設けられ、間隔を隔てた複数の網状材２８を含んでいる。構成材本体２１は、互いに対向する端部３１，３２と、長手方向に延びるとともに、互いに対向する側部３４，３５とを備えている。
【００１５】
建築構成材４０は、長手方向に沿って延びる側壁４２，４３と、横断壁４４とを備え、各側壁は網状材４８によって互いに連結された内層及び外層４５，４６を含む点で、構成材２０の構造とは相似している。建築構成材４０は、その構成材本体の片側において端壁４９を更に備えている。
【００１６】
このアセンブリは、これらの建築構成材２０，４０を動作可能に固定する結合部材６０を更に含んでいる。この結合部材６０は、メインパネル６２を含んでおり、このメインパネル６２は、取り付けられた状態においてその構成材の長手方向に沿って延びるようになり、長手方向に沿って延びるとともに、互いに対向する縁部６３，６４を有している。横断壁２４，４４及びパネル６２には、間隔を隔てた複数の開口部６８が形成されている。
【００１７】
これら建築構成材２０，４０及び結合部材６０は、連結された部分の間のスナップ式の係合を提供する協調連結部材を備えている。この点に関しては、構成材２０，４０は、構成材本体の長手方向の両側において通路５０を有している。各通路５０は、口部５２と、刺のある構造５４によって形成された喉部５３を提供する構造とを有している。構成材２０は長手方向側部の双方において通路５０を備えているのに対し、構成材４０は端壁４９と反対側の長手方向側部において通路５０を備えている。複数対の構造は、構成材２０が所望の長さに切断可能であるとともに、所定の連結部材がこの切断長さに適合するように、それらの構成材に沿って間隔を隔てて配置されている。
【００１８】
その結合部材６０は、各縁部の領域において舌部６５を備えている。これらの舌部６５は、頭部６７有して長手方向に沿って延びるフランジ６６である。この構成では、頭部６７が建築構成材２０，４０における通路５０にスナップ式に係合することができる。縁部６３，６４の外側には、肋材７９が配置されており、構成材の縁部は、この肋材７９に隣接している。これにより、これらの構成材を互いに対して好適に把持することができる。
【００１９】
図６は、建築構成材の別の実施形態を示しており、この実施形態は、一体に組立て可能な複数の独立の部材によって構成されている。本実施形態では、そのアセンブリは、間隔を隔てた複数の横断部材１２４によって互いに連結可能な２つの側壁部材１２２，１２３を含んでいる。各側壁部材１２２，１２３は、網状材１４８によって連結された内、外層１４５，１４６を含んでいる。側壁部材１２２，１２３は、各側壁部材の内層に固定された横断部材１２４によって接続されている。この目的を達成するために、横断部材１２４の側縁部は、その内層の内表面における通路１５５内に受けられることが可能な頭部１６７を有している。その通路１５５は、それらの内外層の内表面において刺のある構造１５４によって形成された喉部を有している。これらの構造は、反対の方向に向かう複数の群に配置されており、これにより、構成材１２０は、所望の長さに切断可能であるとともに、所定の連結部材がこの切断長さに適合することができる。反対の方向に向かう典型的な構造の群は、図６、７における「１５７」及び「１５８」によって示されている。
【００２０】
結合部材１６０は、頭部１６７が空洞１６９を含む点を除いて、上述した形態と同様である。端部平板１６８は、フランジの群を１つのみ有する点を除いて、部材１６０と同様である。
【００２１】
図７は、複数の構成材を互いに対して所定の角度を有するように連結可能な角部材１７０を示している。
図９は、蓋７５を示しており、この蓋７５は、図８に示されるように建築構成材２０又は１２０の頂部及び底部に取り付けられることにより、コンクリート、或いは泥、スラッジ、砂、又は類似したものを含む他の充填材が構成材２０，１２０、又は２２０、又は３２０に流れ込む際に、コンクリート又は他の充填材が側壁部材２２，２３の外側の、完成した表面に放出、又は流出することが抑制される。その蓋は、開口部７７を有しており、この開口部７７は、コンクリートが流れ込むことを許容するとともに、構成材２０を上方の床版９９に固定することを強化し、下方から固定部材を受けることを許容する。
【００２２】
図１０及び１１は、建築構成材２２０の別の実施形態を示しており、この実施形態では、結合部材２６０は、空洞２６９の両側において、間隔を隔てた２つのフランジをそれぞれ有している。縁部２６３，２６４の外側には、肋材２７９が配置されており、構成材２２０は、組立てられた状態において肋材２７９に隣接している。これにより、構成材２２０のぴったりの、又は堅い保持を容易に実現することができる。
【００２３】
図１２は、本発明の別の態様に係る実施形態を示しており、この実施形態においては、構成材３２０は、側壁３２２，３２３の側部と一体となった協調連結部材３６０を含んでいる。雄連結部材３７１と雌連結部材３７２とが設けられている。雄連結部材３７１は、空洞３６９を介して間隔を隔てた一対のフランジ３６６と、頭部３６７とを含み、この頭部３６７は、肋材３７３である。フランジ３６７は、通路３５０に挿入され、喉部３５３を通るように配置されており、刺のある構造３５４によって保持されている。フランジ３６７と刺のある構造３５４との係合は、スナップ式の係合である。
【００２４】
本明細書及び以下の特許請求の範囲の全文において、文脈によって他の解釈が必要でない限り、用語「含む」、又は「含み」、「含んでいる」等のバリエーションは、記載された構成要件、工程、又は構成要件群或いは工程群を暗示的に含むが、他の構成要件、工程、構成要件群或いは工程群を含むことを排除しないと理解されるべきである。
【００２５】
最後に、様々な変更、変形及び／又は追加は、本発明の主旨及び範囲を逸脱しない内容の組み合わせ及び構成に含まれることが理解されるべきである。
【図１】
2010539351.tif 000003
【図２】
2010539351.tif 000004
【図３】
2010539351.tif 000005
【図４】
2010539351.tif 000006
【図５】
2010539351.tif 000007
【図６】
2010539351.tif 000008
【図７】
2010539351.tif 000009
【図８】
2010539351.tif 000010
【図９】
2010539351.tif 000011
【図１０】
2010539351.tif 000012
【図１１】
2010539351.tif 000013
【図１２】
2010539351.tif 000014
【国際調査報告】
2010539351.tif 000015
2010539351.tif 000016
2010539351.tif 000017
2010539351.tif 000018
2010539351.tif 000019